(57)【要約】【課題】読みが不明な多国語の文字を、各言語に応じた文字入力プログラムと単語辞書を用意することなく入力できるようにする。【解決手段】手書き入力する文字の言語（第１の言語）と、手書き入力された文字に対する変換先の言語（第２の言語）の指定をタブレット１６から入力し、タブレット１６から入力される手書き入力された文字のデータに対応する第１の言語の文字コードを漢字変換プログラム２２により検索し、この検索された文字コードを、複数の言語に共通する文字について各言語の文字コードが記録された漢字コードテーブル２４をもとに第２の言語の文字コードに変換する。【選択図】    図１
2004265136.tif 000002
【特許請求の範囲】
【請求項１】
第１の言語の指定を入力する第１入力手段と、
第２の言語の指定を入力する第２入力手段と、
手書き文字のデータを入力する手書き文字入力手段と、
前記手書き文字入力手段によって入力された手書き文字のデータに対応する、前記第１入力手段により入力した前記第１の言語の文字コードを検索するコード検索手段と、
前記コード検索手段によって検索された文字コードを、前記第２入力手段により入力した前記第２の言語の文字コードに変換する文字コード変換手段と
を具備したことを特徴とする文字入力装置。
【請求項２】
複数の言語に共通する文字について、各言語の文字コードを前記複数の言語間で対応づけて記録する文字コードテーブルを具備し、
前記文字コード変換手段は、前記文字コードテーブルをもとに文字コードの変換をすることを特徴とする請求項１記載の文字入力装置。
【請求項３】
第１の言語の指定を入力する第１入力手段と、
第２の言語の指定を入力する第２入力手段と、
文字列入力の指定を入力する第３入力手段と、、
手書き文字のデータを複数入力可能な手書き文字入力手段と、
前記手書き文字入力手段によって入力された手書き文字のデータに対応する、前記第１入力手段により入力した前記第１の言語の文字コードを検索するコード検索手段と、
前記コード検索手段によって検索された文字コードを、前記第２入力手段により入力した前記第２の言語の文字コードに変換する文字コード変換手段と、
前記第３入力手段により文字列入力の指定が入力された場合に、前記文字コード変換手段による変換により得られた複数の文字コードを前記第２の言語による文字列の文字コード列に変換する文字列変換手段と、
を具備したことを特徴とする文字入力装置。
【請求項４】
複数の言語に共通する文字列について、各言語の文字コード列を前記複数の言語間で対応づけて記録する文字列コードテーブルを具備し、
前記文字列変換手段は、前記文字列コードテーブルをもとに文字コードの変換をすることを特徴とする請求項３記載の文字入力装置。
【請求項５】
第１の言語の指定を入力する第１入力手段と、
第２の言語の指定を入力する第２入力手段と、
文字列入力の指定を入力する第３入力手段と、
手書き文字のデータを複数入力可能な手書き文字入力手段と、
前記手書き文字入力手段によって入力された手書き文字のデータに対応する、前記第１入力手段により入力した前記第１の言語の文字コードを検索するコード検索手段と、
前記コード検索手段によって検索された文字コードを、前記第２入力手段により入力した前記第２の言語の文字コードに変換する文字コード変換手段と、
複数の言語に共通する文字について、各言語の文字コードと文字毎に共通する共通コードとを前記複数の言語間で対応づけて記録する文字コードテーブルと、
複数の言語に共通する文字列について、各言語の文字コード列と文字コード列毎に共通する共通コード列とを前記複数の言語間で対応づけて記録する文字列コードテーブルと、
前記第３入力手段により文字列入力の指定が入力された場合に、前記文字コード変換手段による変換により得られた複数の文字コードを、前記文字コードテーブルに記録された前記複数の文字コードに対応する共通コード列に変換する共通コード変換手段と、
前記共通コード変換手段により変換された共通コード列に対応する共通コード列を前記文字列コードテーブルから検索する共通コード列検索手段と、
前記共通コード列検索手段によって検索された共通コード列に対応する、前記第２入力手段により入力した前記第２の言語の文字コード列を前記文字列コードテーブルから検索する文字コード列検索手段と
を具備することを特徴とする文字入力装置。
【請求項６】
前記共通コードは、Ｐｉｎ−Ｙｉｎコードであることを特徴とする請求項５記載の文字入力装置。
【請求項７】
変換実行の指示を入力する変換指示入力手段を具備し、
前記文字コード変換手段は、前記変換指示入力手段によって変換実行の指示が入力される前に前記手書き文字入力手段によって入力された手書き文字のデータに対して前記コード検索手段によって検索された文字コードの変換を実行することを特徴とする請求項１、請求項３、または請求項５の何れかに記載の文字入力装置。
【請求項８】
前記手書き文字入力手段は、タブレットから手書き文字のデータを入力することを特徴とする請求項１、請求項３、または請求項５の何れかに記載の文字入力装置。
【請求項９】
前記コード検索手段により検索される前記文字コードには、言語を示す属性データが付加されていることを特徴とする請求項１、請求項３、または請求項５の何れかに記載の文字入力装置。
【請求項１０】
前記文字コード変換手段は、前記文字コードに付加された属性データを、変換先の言語の属性データに変換することを特徴とする請求項１、請求項３、または請求項５の何れかに記載の文字入力装置。
【請求項１１】
第１の言語の指定と第２の言語の指定とを入力し、
この指定の入力に応じて、前記手書き文字のデータに対応する、前記第１の言語の文字コードを検索し、
この検索された文字コードを前記第２の言語の文字コードに変換することを特徴とする文字入力方法。
【請求項１２】
第１の言語の指定と第２の言語の指定と文字列入力の指定とを入力し、
この指定の入力に応じて、前記手書き文字のデータに対応する前記第１の言語の文字コードを検索し、
この検索された文字コードを前記第２の言語の文字コードに変換し、
前記文字列入力の指定が入力された場合に、前記第２の言語に変換された複数の文字コードを前記第２の言語による文字列の文字コード列に変換することを特徴とする文字入力方法。
【請求項１３】
コンピュータを、
第１の言語の指定を入力する第１入力手段と、
第２の言語の指定を入力する第２入力手段と、
手書き文字のデータを入力する手書き文字入力手段と、
前記手書き文字入力手段によって入力された手書き文字のデータに対応する、前記第１入力手段により入力した前記第１の言語の文字コードを検索するコード検索手段と、
前記コード検索手段によって検索された文字コードを、前記第２入力手段により入力した前記第２の言語の文字コードに変換する文字コード変換手段とに機能させる文字入力プログラム。
【請求項１４】
コンピュータを、
第１の言語の指定を入力する第１入力手段と、
第２の言語の指定を入力する第２入力手段と、
文字列入力の指定を入力する第３入力手段と、
手書き文字のデータを入力する手書き文字入力手段と、
前記手書き文字入力手段によって入力された手書き文字のデータに対応する、前記第１入力手段により入力した前記第１の言語の文字コードを検索するコード検索手段と、
前記コード検索手段によって検索された文字コードを、前記第２入力手段により入力した前記第２の言語の文字コードに変換する文字コード変換手段と、
前記第３入力手段により文字列入力の指定が入力された場合に、前記文字コード変換手段による変換により得られた複数の文字コードを前記第２の言語による文字列の文字コード列に変換する文字列変換手段とに機能させる文字入力プログラム。
【発明の詳細な説明】
【０００１】
【発明の属する技術分野】
本発明は、多国語用漢字（中国語＜簡体・繁体＞漢字、日本語漢字、朝鮮語漢字など）を入力する文字入力装置、文字入力方法、及び文字入力プログラムに関する。
【０００２】
【従来の技術】
一般に、現代の言語には、漢字（Ｃｈｉｎｅｓｅ  ｃｈａｒａｃｔｅｒ：中国語文字を含む）として知られるシンボル（記号）を利用する書体で書かれたものがある。表記方式（ライティングシステム）において、漢字を使用する主要な言語は、日本語、朝鮮語、及び（標準中国語や広東語としてより広く知られている）多くの中国語系の方言である。
【０００３】
漢字を中心として使われる文字入力方式には、キーボードなどで漢字の読み方を入力し、漢字に変換する「音読み入力方式」と、キーボードの代わりにグラフィックスタブレットなどの手書き入力デバイスや、マウスを使用して文字を書くことでテキストに文字を入力する「手書き入力方式」がある。
【０００４】
従来、「音読み入力方式」により、日本語と朝鮮語、及び中国語を含む多国語の文字列を、音読み記号の配列を各言語の辞書を参照しながら入力する方式が検討されている（例えば、特許文献１）。
【０００５】
特許文献１の多国語文書処理装置では、入力された言語フラッグにより現在処理しようとする言語の文字入力プログラムを読み込み、言語フラッグと共に入力される読み記号について、言語フラッグをもとに読み込まれた言語の文字入力プログラムにより、読み記号を該当する言語の対応する文字コードに変換する。
【０００６】
【特許文献１】
特開平８−１３７８８５号公報
【０００７】
【発明が解決しようとする課題】
このように従来では、漢字の音読み記号（例えば、ローマ字）をキーボードから入力したあと、漢字の変換を行う「音読み入力方式」を採用しているため、音読みの記号を入力することで漢字に変換することにしか対応できない。この方式では、操作者が外国語（中日朝）の文書を入力するとき、音読みの記号を正確に入力できない、或いは音読みがまったく分からない場合では、漢字の入力と変換はできなくなってしまう。例えば、日本人の操作者が中国語の漢字（簡体・繁体）文章を入力する際、日本語には存在しない漢字もあるため、音読み入力による漢字の入力が困難となる場合がある。
【０００８】
また、各言語に応じた文字入力プログラムを用意する必要があり、また言語ごとに入力文字列と表示文字列との対応関係が記憶された膨大な量をもつ単語辞書を用意しなければならない問題点がある。日本語の単語を入力するとき、場合により漢字の読み方がさまざまであるため、入力文字列（単語の音読み記号）と表示文字列（漢字、仮名など）との対応関係を記憶する膨大な単語辞書が不可欠である。従って、小型携帯機器では記憶装置の記憶容量に限りがあるため多国語の文字列を入力することが困難となってしまう。
【０００９】
本発明は前記のような事情を考慮してなされたもので、読みが不明な多国語の文字を、各言語に応じた文字入力プログラムと単語辞書を用意することなく入力することが可能な文字入力装置、文字入力方法、及び文字入力プログラムを提供することを目的とする。
【００１０】
【課題を解決するための手段】
本発明は、第１の言語の指定を入力する第１入力手段と、第２の言語の指定を入力する第２入力手段と、手書き文字のデータを入力する手書き文字入力手段と、前記手書き文字入力手段によって入力された手書き文字のデータに対応する、前記第１入力手段により入力した前記第１の言語の文字コードを検索するコード検索手段と、前記コード検索手段によって検索された文字コードを、前記第２入力手段により入力した前記第２の言語の文字コードに変換する文字コード変換手段とを具備したことを特徴とする。
【００１１】
また本発明は、第１の言語の指定を入力する第１入力手段と、第２の言語の指定を入力する第２入力手段と、文字列入力の指定を入力する第３入力手段と、手書き文字のデータを入力する手書き文字入力手段と、前記手書き文字入力手段によって入力された手書き文字のデータに対応する、前記第１入力手段により入力した前記第１の言語の文字コードを検索するコード検索手段と、前記コード検索手段によって検索された文字コードを、前記第２入力手段により入力した前記第２の言語の文字コードに変換する文字コード変換手段と、前記第３入力手段により文字列入力の指定が入力された場合に、前記文字コード変換手段による変換により得られた複数の文字コードを前記第２の言語による文字列の文字コード列に変換する文字列変換手段とを具備したことを特徴とする。
【００１２】
【発明の実施の形態】
以下、図面を参照して本発明の実施の形態について説明する。図１は本実施形態に係わる文字入力装置を実現するコンピュータ１のシステム構成を示すブロック図である（主要な構成部のみを示す）。コンピュータ１は、例えば半導体メモリ、ＣＤ−ＲＯＭ、ＤＶＤ、磁気ディスク等の記録媒体に記録されたプログラムを読み込み、このプログラムによって動作が制御される。コンピュータ１は、例えば小型携帯機器として構成される例えばＰＤＡ（ｐｅｒｓｏｎａｌ  ｄｉｇｉｔａｌ  ａｓｓｉｓｔａｎｔ）などによって実現される。コンピュータ１には、手書きによる多国語の漢字の入力と認識、及び多国語漢字への変換などの機能を有する。
【００１３】
図１に示すように、本実施形態におけるコンピュータ１（文字入力装置）は、ＣＰＵ１０、メモリ１２、表示パネル１４、タブレット１６（ペン１９）、入力装置１８が設けられている。
【００１４】
ＣＰＵ１０は、メモリ１２に記録された各種プログラムに従い各部の制御を行なう。文字入力が行われる場合には、メモリ１２に記憶された手書き文字認識プログラム２０（及びＧｌｏｂａｌＩＭＥ２１）と文字入力プログラム（漢字変換プログラム２２、複合語変換プログラム２３を含む）により、文字入力を制御する。本実施形態におけるコンピュータ１では、タブレット１６から入力される手書き文字のデータをもとにして文字を入力する「手書き入力方式」を用いる。文字入力プログラムにより、手書き文字のデータを入力することで、任意に選択した言語の文字（漢字）を入力できる他、手書き入力した文字を任意に選択した言語における同じ文字（漢字）、すなわち同じ起源をもつが字画が微妙に違う漢字に変換して入力することができる。また、文字単位だけでなく複数の文字（漢字）からなる単語（以下、複合語とする）を単位として変換させることができる。この場合、同じ意味を持つが言語によって使用する文字が異なる複合語については、手書き入力された文字列を正しい意味を持つ異なる漢字を用いた複合語に変換する。
【００１５】
メモリ１２は、ＣＰＵ１０により実行される各種プログラムやデータが記録されるもので、基本制御プログラム（ＯＳ）の他、文字の入力に係わる手書き文字認識プログラム２０、ＧｌｏｂａｌＩＭＥ、文字入力プログラム（漢字変換プログラム２２、複合語変換プログラム２３）の他、漢字変換プログラム２２と複合語変換プログラム２３の実行に伴って利用される漢字コードテーブル２４（図４参照（後述する））、複合語コードテーブル２５（図６参照（後述する））が記録される。
【００１６】
表示パネル１４は、ＣＰＵ１０が各種プログラムを実行するのに伴って各種の画面を表示するもので、手書き文字を入力する際には手書き文字用の入力インタフェースを提供する（図３参照（後述する））。
【００１７】
タブレット１６は、ポインティングデバイスとして用いられるもので、入力面と表示パネル１４の表示面とは重ね合わされて構成されており、表示パネル１４によって表示されたオブジェクト（キーやボタンなど）に対してタブレット１６の入力面上で直接的に指示したり、表示によって指定された領域において、ペン１９による文字を手書きすることで文字を表すデータ（座標データ列）を入力したりすることができる。
【００１８】
入力装置１８は、機械的なスイッチやボタンを含むもので、電源ボタン、カーソルボタン、その他の機能ボタンやキーである。
【００１９】
図２は、図１に示すシステム構成において、ＣＰＵ１０により文字入力プログラムを含む各プログラムを実行することにより実現される機能構成を示すブロック図である。図２に示すように、コンピュータ１（文字入力装置）は、手書き入力部３０、モード選択部３１、手書き文字認識部３２、漢字変換部３３、複合語変換部３５、漢字変換表示部３７の機能が実現される。
【００２０】
手書き入力部３０は、タブレット１６を通じて手書き文字のデータ、すなわち文字を構成する各ストロークを表す座標データ列を入力する。
【００２１】
モード選択部３１は、タブレット１６を通じて、表示パネル１４により表示される入力インタフェースに設けられたキーに対する位置指示により、モード選択等の指定を入力する。本実施形態では、手書き入力する文字の言語（第１の言語）を指定する入力モード選択（第１入力手段）、入力モード選択により指定された言語の文字に対する変換先の言語（第２の言語）を指定する変換モード選択（第２入力手段）、複数の文字（漢字）からなる複合語を入力することを指定する複合語変換指定（第３入力手段）、変換実行の指示（変換指示入力手段）を入力する。
【００２２】
手書き文字認識部３２は、手書き入力部３０により入力される手書き文字のデータに対して手書き文字認識を行なう。
【００２３】
漢字変換部３３は、手書き文字認識部３２により認識された文字に対応する、入力モード選択により指定された言語の漢字コードを漢字コードテーブル２４から検索する。漢字コードテーブル２４に記録されている漢字コードには、一般の文字コードを表す番号部に、言語を示す言語属性部のデータが付加されている（図５参照）。また、漢字変換部３３は、漢字コードテーブル２４から検索された漢字コードを、変換モード選択により指定された言語の漢字コードに変換する。
【００２４】
複合語変換部３５は、複合語変換指定が入力された場合に、漢字変換部３３による変換により得られた複数の漢字コードを、変換モード選択により指定された言語による複合語コードテーブル２５に記録されている複合語（文字列）の漢字コード列に変換する。また、複合語変換部３５は、複合語コードテーブル２５に該当する複合語が記録されていない場合に、漢字変換部３３による変換により得られた複数の漢字コードをＰｉｎ−Ｙｉｎコード列（共同コード列）に変換し、このＰｉｎ−Ｙｉｎコード列に該当する複合語の漢字コード列を複合語コードテーブル２５から検索して変換結果として出力する。なお、Ｐｉｎ−Ｙｉｎコードは、中国語漢字の音読み記号を表すもので、漢字に対して特定のコードが決められる。
【００２５】
漢字変換表示部３７は、漢字変換部３３により得られた漢字コード、あるいは複合語変換部３５により得られた漢字コード列に応じて、変換モード選択により指定された言語の漢字を表示パネル１４において表示させる。
【００２６】
図３は、コンピュータ１の外観構成と、多国語文字を入力する際の表示画面（入力インタフェース）の一例を示す図である。
【００２７】
図３に示すように、コンピュータ１は、小型携帯機器として構成されており、コンピュータ１の上面部には表示パネル１４の表示面とタブレット１６の入力面とが重ね合わされた入力表示部の他、入力装置１８に含まれるボタン類１８ａが設けられている。
【００２８】
図３に示す入力表示部は、手書きにより多国語の文字を入力する場合の表示画面（入力インタフェース）の一例を示している。図３に示すように、手書き文字を入力するための手書き文字領域４０、入力モード選択に用いられる言語の種類を示す複数の言語選択キー４１〜４４、言語の変換実行の指示に用いられる言語変換キー４５、複合語変換指定に用いられる複合キー４６、手書き入力された文字が変換モード選択で指定された言語の文字に変換されて表示される文字表示領域５０、文字表示領域５０中で文字列（文章）の編集に用いられるＢａｃｋ  ｓｐａｃｅキー（ＢＳ）４７、Ｄｅｌｅｔｅ（Ｄｅｌ）キー４８が設けられている。
【００２９】
手書き文字領域４０は、固定的に設けられていても良いし、手書き文字を入力する場合に必要に応じてポップアップされても良い。図３では、３つの文字を入力する領域が設けられているが、手書き文字領域４０の形式は任意に設定することができる。言語選択キー４１〜４４は、本実施形態において４種類の言語を指定するための言語選択キー、すなわち日本語（ＪＰ）キー４１、朝鮮語（ＫＲ）キー、中国語簡体（ＣＪ）キー４３、中国語繁体（ＣＦ）キー４４が設けられている。
【００３０】
タブレット１６上で指示することができる言語選択キー４１〜４４（「ＣＪ」「ＣＦ」「ＪＰ」「ＫＲ」）と、言語変換キー４５と複合キー４６などを用意することで、入力モード選択と変換モード選択における言語種類と変換モードの切り替えが簡単にできるようにしている。また、二つ以上の漢字からなる複合語（単語）の変換を指示するための複合キー４６を用意することで、複合語の入力を迅速かつ正確にできるようにしている。
【００３１】
例えば、手書き入力する言語の漢字と同じ概念・起源の他言語の漢字へ変換して入力しようとする場合（他言語の漢字を書けない場合など）には、手書き入力できる言語の入力モードに言語選択キー４１〜４４（「ＣＪ」「ＣＦ」「ＪＰ」「ＫＲ」の何れか）を押下することで切り替え、さらに変換先とする他言語を同様にして言語選択キー４１〜４４の何れかを押下することで指示し、そして言語変換キー４５を押下して変換実行を指示する。この状態でタブレット１６上で文字を手書きすることで、自動的に変換先として指定した他言語用の漢字に変換されて表示（入力）される。
【００３２】
また、他言語との間で、複合語同士を変換させようとする場合、さらに複合キー４６を押下すればよい。これにより、複合語の入力と複合語同士の正しい変換（例えば意味が同一の異なる文字を用いた複合語への変換）を実行させることができる。
【００３３】
次に、多国語用漢字コードテーブル２４の例について、図４を参照しながら説明する。
漢字コードテーブル２４は、複数の言語に共通する漢字（文字）について、各言語の漢字（文字）コードと漢字毎に共通する共通コード（ここではＰｉｎ−Ｙｉｎコード）とを複数の言語間で対応づけて記録している。なお、図４では、言語として中国語簡体漢字、中国語繁体漢字、日本語漢字のみを対象として示している。
【００３４】
漢字には、中国、日本、朝鮮と韓国（ＣＪＫ）の漢字を統合した約２１０００字が含まれている。基となった主な文字集合は、中国のＧＢ２３１２（簡体字）、Ｂｉｇ−５（繁体字）、日本のＪＩＳ  Ｘ  ０２０８とＪＩＳ  Ｘ  ０２１２、韓国のＫＳＣ５６０１である。これら各国において、同じ概念・起源の漢字（すなわち複数の言語に共通する漢字（文字））でも、歴史的・文化的理由により微妙に形が違っている（点画の向きや長さなど）ものが多数ある。
【００３５】
これらの同じ起源であるが字画が微妙に違う漢字を、図５に示すように、言語種類を示す言語属性部（ＣＪ、ＣＦ、ＪＰ、ＫＲ）と、４桁の数字（「００００−９９９９」の範囲）からなる番号部という形式で組み合わせた漢字コードで表している。
【００３６】
また、言語によって、同じ起源の漢字であっても音読みは異なり、また同じ漢字の読み方も様々であるため、同じ起源の多国語漢字に共通して、すべて中国語標準語での音読み記号であるＰｉｎ−Ｙｉｎコードを漢字コードと対応づけて記録している。中国語では、簡体と繁体に関わらず、漢字の読み方は同じであり、かつ使用する場所によらず、読み方は常に一定である。「Ｐｉｎ−Ｙｉｎ」は、その発音を記す音読み記号のことをいう（中国語漢字の「Ｐｉｎ−Ｙｉｎ」入力は、日本語の場合、音読みをローマ字で入力して漢字に変換することに相当する）。漢字コードテーブル２４において、個々の漢字とそれに対応する漢字コードとは、一対一の関係をもつが、１つのＰｉｎ−Ｙｉｎコードに対応する漢字は複数ある。
【００３７】
次に、多国語用複合語コードテーブル２５の例について、図６を参照しながら説明する。
複合語コードテーブル２５は、複数の言語に共通する文字列（複合語）について、各言語の漢字（文字）コード列と文字コード列毎に共通する共通コード列（同一のＰｉｎ−Ｙｉｎコード列）とを複数の言語間で対応づけて記録している。なお、図５では、言語として中国語簡体漢字、中国語繁体漢字、日本語漢字のみを対象として示している。
【００３８】
複合語コードテーブル２５では、各言語にある中国語での漢字読み方が同様の複合語を、同一のＰｉｎ−Ｙｉｎコード列と対応づけて記録する。例えば、図７に示す中国語（日本語）の複合語は、左側に示すＰｉｎ−Ｙｉｎコード列と対応づけて、異なる複数の複合語をそれぞれ記録することが可能である。例えば、Ｐｉｎ−Ｙｉｎコード列「Ｓｈｉ  Ｊｉａｎ」に対して、異なる複合語（日本語表記）である「時間」「実践」「事件」「世間」を対応づけることができる。
【００３９】
各言語において、漢字複合語に使われる漢字は起源が同じであるが、字画が微妙に違う場合、また漢字の起源がまったく違う場合、あるいは漢字が逆転して使用される場合などが存在する。
【００４０】
例えば、図８に示すように、日本語の複合語（単語）「課長」「計画」「仕様」「工場」「予測」「慣習」「施設」「売買」「工事」「扶養者」に対する同一の意味を持つ中国語（簡体字）の複合語は、それぞれに対応する下段に示す複合語となる。図８に示すように、意味が同一の複合語であっても異なる漢字を含んでいる。例えば、日本語「課長」の「課」に対応する中国語（簡体字）は「科」となるが、「課」と「科」に対するＰｉｎ−Ｙｉｎコードは共に「Ｋｅ」である。従って、図７に示すように、「課長」に対応するＰｉｎ−Ｙｉｎコード列は、日本語と中国語（簡体字）の何れも「Ｋｅ  Ｚｈａｎｇ」となり、Ｐｉｎ−Ｙｉｎコードを介して関連付けられる。
【００４１】
こうして、多国語の複合語を漢字コード列とＰｉｎ−Ｙｉｎコード列の両方を複合語コードテーブル２５に記録することで、各言語間における複合語の変換を、言語の同一意味に基づく膨大な言語翻訳プログラムなどを介さずに単純かつ正確に変換することができるようにする。
【００４２】
なお、図６では、２つの漢字からなる複合語（単語）のみを示しているが、３文字以上の文字列からなる複合語についての漢字コード列とＰｉｎ−Ｙｉｎコード列が記録されていても良い。
【００４３】
次に、本実施形態における文字入力の動作について、図９、図１０、及び図１１に示すフローチャートを参照しながら説明する。
【００４４】
（１）図１２は、手書き入力による日本語漢字の入力（変換）例を示している。
まず、手書き入力によって文字（漢字）の入力を行なう場合には、入力モード選択が行われる（ステップＡ１）。ここでは、入力モード選択として、タブレット１６上で日本語（ＪＰ）キー４１がペン１９によって指示される（２０１）。ＣＰＵ１０は、手書き文字認識プログラム２０とＧｌｏｂａｌＩＭＥを起動して手書き文字の入力待ちの状態となる（ステップＡ２１）。
【００４５】
ここで、タブレット１６上の手書き文字領域４０において、文字が手書きされると手書き文字のデータが入力される。図１２に示す例では、日本語の漢字「実」が手書き入力されたことを表している（２０２）。
【００４６】
手書き文字領域４０の１つの領域への文字の入力後、所定の時間（例えば２秒）が経過した、あるいは次の領域への手書き文字の入力が開始されると、手書き文字認識プログラム２０により、１文字分の手書き文字のデータが入力完了したと判別し、この入力されたデータに対して手書き漢字の認識処理を行う（ステップＡ２２）（２０３）。
【００４７】
ここで、手書き文字認識により文字が認識できなかった場合には、手書き文字の再入力などを促すメッセージを表示する。そして、再度、手書き文字のデータが入力された場合には、同様にして文字認識処理を実行する。
【００４８】
一方、文字が認識できたら、ＣＰＵ１０は、漢字変換プログラム２２を起動し（ステップＡ２３）、漢字変換プログラム２２により、漢字コードテーブル２４から認識された文字に対応する、入力モード選択によって指定された言語（ここでは日本語）の漢字コード（ＪＰ２０４０）を検索して取得する（２０５）。
【００４９】
最後に、漢字コードテーブル２４から取得された漢字コード（ＪＰ２０４０）に該当する文字を、手書き入力された手書き文字領域４０と文字表示領域５０に表示させる（ステップＡ２４）（２０４）。
【００５０】
こうして、入力モード選択により言語を指定し、手書き文字を入力することで、指定した言語の文字（漢字）を入力することができる。
【００５１】
（２）図１３は、手書き入力による日本語漢字を中国語簡体漢字に変換して入力する例である。
【００５２】
まず、手書き入力によって文字（漢字）の入力を行なう場合には、入力モード選択が行われ、さらに手書きする文字の言語と異なる他の言語の文字に変換して入力しようとする場合には、変換モード選択と変換実行が指示される（ステップＡ１）。ここでは、入力モード選択として、タブレット１６上で日本語（ＪＰ）キー４１がペン１９によって指示され、さらに変換先とする言語の中国語簡体（ＣＪ）キー４３が指示された後、言語変換キー４５による変換実行が指示される（３０１）。ＣＰＵ１０は、手書き文字認識プログラム２０とＧｌｏｂａｌＩＭＥを起動して手書き文字の入力待ちの状態となる（ステップＡ３１）。
【００５３】
ここで、タブレット１６上の手書き文字領域４０において、文字が手書きされると手書き文字のデータが入力される。図１３に示す例では、日本語の漢字「実」が手書き入力されたことを表している（３０２）。
【００５４】
手書き文字領域４０の１つの領域への文字の入力後、所定の時間（例えば２秒）が経過した、あるいは次の領域への手書き文字の入力が開始されると、手書き文字認識プログラム２０により、１文字分の手書き文字のデータが入力完了したと判別し、この入力されたデータに対して手書き漢字の認識処理を行う（ステップＡ３２）（３０３）。
【００５５】
ここで、手書き文字認識により文字が認識できなかった場合には、手書き文字の再入力などを促すメッセージを表示する。そして、再度、手書き文字のデータが入力された場合には、同様にして文字認識処理を実行する。
【００５６】
一方、文字が認識できたら、ＣＰＵ１０は、漢字変換プログラム２２を起動し（ステップＡ３３）、漢字変換プログラム２２により、漢字コードテーブル２４から認識された文字に対応する、入力モード選択によって指定された言語（ここでは日本語）の漢字コード（ＪＰ２０４０）を検索して取得する（３０４）。さらに、漢字変換プログラム２２により、漢字コードテーブル２４から検索された漢字コードに対応する、変換モード選択により指定された言語の漢字コードを漢字コードテーブル２４から検索する（ステップＡ３４）。
【００５７】
ここで、該当する言語の漢字コードが検索できなかった場合には、例えば「該当無」のメッセージを表示して、次の漢字の入力待ち状態となる（ステップＡ３５，Ａ３７）。
【００５８】
一方、漢字コードテーブル２４から該当する言語の漢字コードが検索できた場合、この漢字コードに変換する（３０５）。ここでは、日本語漢字である「実」の漢字コード（ＪＰ２０４０）を中国語簡体漢字の漢字コード（ＣＪ２０４０）に変換する。
【００５９】
最後に、中国語簡体漢字に変換された漢字コード（ＣＪ２０４０）に該当する文字を、文字が手書きされた手書き文字領域４０と文字表示領域５０に表示させる（ステップＡ３６）（３０６）。
【００６０】
こうして、入力モード選択により言語を指定し、手書き文字を入力することで、指定した言語の文字（漢字）を入力することができる。
【００６１】
なお、漢字コードテーブル２４に記録される各言語の漢字コードが、全ての漢字についてそれぞれ対応づけて記録されている場合には、漢字コードテーブル２４に対する検索を行なうことなく、漢字コードの言語属性部のみを、変換モード選択で指定された言語に変換しても良い。すなわち、言語が異なっていても漢字コードの番号部（４桁の数字）が共通なので、例えば言語属性部の「ＪＰ」を「ＣＪ」に変換するだけで良い。
【００６２】
なお、手書き入力による日本語漢字を中国語繁体漢字に変換して入力する場合には、前述した図１３（及び図９ステップＡ１〜Ａ３７）と同様の処理が実行されるものとして詳細な説明を省略する。この場合、入力モード選択として日本語（ＪＰ）キー４１により日本語が指示され、変換モード選択として中国語繁体（ＣＦ）キー４４により中国語繁体が指示される。前述と同様にして、タブレット１６上の手書き文字領域４０において日本語漢字を手書きすることで、中国語繁体漢字が入力される。
【００６３】
（３）図１４は、手書き入力による中国語簡体漢字を日本語漢字に変換して入力する例である。
【００６４】
この場合には、前述した図１３（及び図９ステップＡ１〜Ａ３７）と同様の処理が実行されるものとして詳細な説明を省略する。ここでは、入力モード選択として中国語簡体（ＣＪ）キー４３により中国語簡体が指示され、変換モード選択として日本語（ＪＰ）キー４１により日本語が指示される。前述と同様にして、タブレット１６上の手書き文字領域４０において中国語簡体漢字を手書きすることで（４０２）、日本語漢字が入力される（４０６）。
【００６５】
なお、手書き入力による中国語繁体漢字を日本語漢字に変換して入力する場合には、前述した図１４（及び図９ステップＡ１〜Ａ３７）と同様の処理が実行されるものとして詳細な説明を省略する。ここでは、入力モード選択として中国語繁体（ＣＦ）キー４４により中国語繁体が指示され、変換モード選択として日本語（ＪＰ）キー４１により日本語が指示される。前述と同様にして、タブレット１６上の手書き文字領域４０において中国語繁体漢字を手書きすることで、日本語漢字が入力される。
【００６６】
（４）図１５は、手書き入力による中国語複合語（簡体）を日本語複合語に変換して入力する例である。
【００６７】
まず、手書き入力によって複合語（単語）の入力を行なう場合には、入力モード選択が行われ、さらに手書きする複合語の言語と異なる他の言語の複合語に変換して入力しようとする場合には、変換モード選択の他に、複合語変換の実行が指示される。ここでは、入力モード選択として、タブレット１６上で中国語簡体（ＣＪ）キー４３がペン１９によって指示され、さらに変換先とする言語の日本語（ＪＰ）キー４１が指示された後、複合キー４６により複合語変換の実行が指示される（５０１）。ＣＰＵ１０は、手書き文字認識プログラム２０とＧｌｏｂａｌＩＭＥを起動して手書き文字の入力待ちの状態となる（ステップＡ４２）。
【００６８】
ここで、タブレット１６上の手書き文字領域４０において、複合語（文字列）が手書きされると手書き文字のデータが入力される。図１５に示す例では、中国語簡体の２文字からなる複合語が手書き入力されたことを表している（５０２）。
【００６９】
ここで、言語変換キー４５によって変換実行が指示されると、手書き文字認識プログラム２０により手書き文字領域４０の各領域に手書きされた各文字のデータ対して手書き漢字の認識処理を行う（ステップＡ４３）（５０３）。
【００７０】
ここで、手書き文字認識により文字が認識できなかった場合には、手書き文字の再入力などを促すメッセージを表示する。そして、再度、手書き文字のデータが入力された場合には、同様にして文字認識処理を実行する。
【００７１】
一方、文字が認識できたら、ＣＰＵ１０は、漢字変換プログラム２２を起動し、漢字変換プログラム２２により、漢字コードテーブル２４から認識された各文字に対応する、入力モード選択によって指定された言語（ここでは中国語簡体）の漢字コード（ＣＪ２０４０、ＣＪ１２５５）を検索して取得する（５０４）。さらに、漢字変換プログラム２２により、漢字コードテーブル２４から検索された漢字コードに対応する、変換モード選択により指定された言語（ここでは日本語）の漢字コードを漢字コードテーブル２４から検索する（ステップＡ４４）。ここでは、中国語簡体漢字である漢字コード（ＣＪ２０４０、ＣＪ１２５５）は、それぞれ日本語漢字の漢字コード（ＪＰ２０４０、ＪＰ１２５５）に変換される（５０５）。
【００７２】
さらに、ＣＰＵ１０は、複合語変換プログラム２３を起動させ、複合語変換プログラム２３により、この二つの漢字コード（ＪＰ２０４０、ＪＰ１２５５）により構成された日本語の複合語が実際にあるかどうかを、複合語コードテーブル２５の日本語の漢字コードを対象として検索する（ステップＡ４６）（５０６）。この例では、日本語複合語の漢字コード（ＪＰ２０４０、ＪＰ１２５５）の組み合わせが日本語複合語コードテーブル２５から検索される。
【００７３】
最後に、日本語複合語に変換された漢字コード（ＪＰ２０４０、ＪＰ１２５５）に該当する文字列を、文字が手書きされた手書き文字領域４０の各領域と文字表示領域５０に表示させる（ステップＡ５２）（５０７）。
【００７４】
（５）図１６は、手書き入力による日本語複合語を中国語複合語（簡体）に変換して入力する例（その１）である。
【００７５】
この場合には、前述した図１５（及び図１０ステップＡ４２〜Ａ４７、Ａ５２）と同様の処理が実行されるものとして詳細な説明を省略する。ここでは、入力モード選択として日本語（ＪＰ）キー４１により日本語が指示され、変換モード選択として中国語簡体（ＣＪ）キー４３により中国語簡体が指示され、さらに複合キー４６により複合語の変換実行が指示される。前述と同様にして、タブレット１６上の手書き文字領域４０において日本語の複合語を手書きすることで（６０２）、中国語複合語（簡体）が入力される（６０７）。
【００７６】
（６）図１７及び図１８は、手書き入力による日本語複合語を中国語複合語（簡体）に変換して入力する例（その２）である。
【００７７】
図１６を用いて説明した例では、漢字変換プログラム２２により変換された漢字コード列が複合語コードテーブル２５から検索される場合について示しているが、図１７及び図１８では複合語コードテーブル２５から該当する漢字コード列が検索できない場合について示している。
【００７８】
ここでは、手書きで日本語複合語である「課長」の文字列が手書き入力されたものとする（７０２）。この手書き文字列（複合語）に対する処理によって得られる漢字コード列（ＪＰ１０１０、ＪＰ２５８０）は（７０４）、漢字変換プログラム２２により中国語複合語（簡体）の漢字コード列（ＣＪ１０１０、ＣＪ２５８０）に変換される（７０５）。なお、以上の処理は、前述したステップＡ４２〜４６と同様にして実行される。
【００７９】
ここで、複合語変換プログラム２３により、２つの漢字コード（ＣＪ１０１０、ＣＪ２５８０）により構成された中国語簡体の複合語が実際にあるかどうか、複合語コードテーブル２５の中国語簡体を対象として検索する（ステップＡ４７）（７０６）。この結果、複合語コードテーブル２５からは、中国語複合語の漢字コード列（ＣＪ１０１０、ＣＪ２５８０）を検索することができない。（なお、ステップＡ４８については後述する）。
【００８０】
この場合、複合語変換プログラム２３により、さらに中国語複合語の漢字コード列（ＣＪ１０１０、ＣＪ２５８０）をもとに、それぞれの漢字の中国語での音読みを表すＰｉｎ−Ｙｉｎコードに変換する。すなわち、各漢字コードに対応するＰｉｎ−Ｙｉｎコードを漢字コードテーブル２４から取得してＰｉｎ−Ｙｉｎコード列を生成する。ここでは、漢字コード（ＣＪ１０１０、ＣＪ２５８０）に当たるＰｉｎ−Ｙｉｎコード列は「Ｋｅ  Ｚｈａｎｇ」である。そして、この生成したＰｉｎ−Ｙｉｎコード列について、複合語コードテーブル２５のＰｉｎ−Ｙｉｎコードリストから検索する（ステップＡ５０）（７０７）。すなわち、漢字コードから生成したＰｉｎ−Ｙｉｎコードの組み合わせが、実際に中国語複合語にあるかどうかを、複合語コードテーブル２５に記録されたＰｉｎ−Ｙｉｎコード列から検索することで判別する。
【００８１】
ここで、複合語コードテーブル２５に該当するＰｉｎ−Ｙｉｎコード列が記録されていなかった場合には「該当なし」と表示する（ステップＡ５７）。
【００８２】
また、該当するＰｉｎ−Ｙｉｎコード列が唯一である場合は、該当する漢字コード列に当たる中国語の複合語を文字として表示させる（ステップＡ５７）（７０７）。
【００８３】
また、該当するＰｉｎ−Ｙｉｎコード列が複数がある場合は、漢字コードによる各組み合わせの中で、二つの漢字コードをそれぞれ検索する。例えば、図１７に示す例では、漢字コード列（ＣＪ１３５５、ＣＪ２６００）と（ＣＪ１３６０、ＣＪ２５８０）の２つの漢字コード列に対応するＰｉｎ−Ｙｉｎコード列（「Ｋｅ  Ｚｈａｎｇ」）が該当し、このＰｉｎ−Ｙｉｎコード列に対応する漢字コード列を候補リストとして記録する。
【００８４】
次に、複合語変換プログラム２３により、Ｐｉｎ−Ｙｉｎコード列をもとに検索した漢字コード列について候補リストにあげた漢字コード列と照合し、例えば後ろの漢字コードを検索した結果（ステップＡ５３、Ａ５４）、該当する複合語が唯一ある場合には、この漢字コード列を変換結果として確定する（ステップＡ５３、Ａ５４、Ａ５５）（７０８）。ここでは、該当する漢字コード列（ＣＪ１３６０、ＣＪ２５８０）が確定される。
【００８５】
なお、例えば後ろの漢字コードを検索した結果（ステップＡ５３、Ａ５４）、該当する複合語候補が複数存在する場合には、例えば先頭の複合語候補の漢字コード列を変換結果として確定する（ステップＡ５３、Ａ５４、Ａ５６）。
【００８６】
また、該当する漢字コード列が候補リストに記録されていない場合には、「該当無し」を表示する（ステップＡ５７）。
【００８７】
最後に、中国語簡体の複合語に変換された漢字コード（ＣＪ１３６０、ＣＪ２５８０）に該当する文字列を、文字が手書きされた手書き文字領域４０の各領域と文字表示領域５０に表示させる（ステップＡ５５）。
【００８８】
なお、ステップＡ４８では、ステップＡ４７の検索によって該当する漢字コード列が複合語コードテーブル２５から検索できなかった場合、漢字コードを逆転させて（２文字からなる複合語の場合）、再度、複合語コードテーブル２５に対する検索を行なうことができる。これにより、言語間で同じ意味を持つが文字の並びが異なる複合語、例えば図８に示す日本語「慣習」「施設」などに対応する中国語簡体の複合語（文字の並びが逆になっている）についても、複合語コードテーブル２５に対する検索によって、対応する漢字コード列を候補として取得することができる。
【００８９】
こうして、漢字変換プログラム２２により変換された漢字コード列に該当する複合語が複合語コードテーブル２５に記録されていない場合、Ｐｉｎ−Ｙｉｎコード列に変換して複合語コードテーブル２５を検索して該当する漢字コード列を求め、漢字変換プログラム２２により変換された漢字コード列と比較することで、最終的な変換結果とする漢字コード列（複合語）を求めることができる。
【００９０】
（７）図１９及び図２０は、手書き入力による中国語複合語（簡体）を日本語複合語に変換して入力する例である。
【００９１】
この場合には、前述した図１７及び図１８（及び図１０及び図１１ステップＡ４２〜Ａ５５）と同様の処理が実行されるものとして詳細な説明を省略する。ここでは、入力モード選択として中国語簡体（ＣＪ）キー４３により中国語簡体が指示され、変換モード選択として日本語（ＪＰ）キー４１により日本語が指示され、さらに複合キー４６により複合語の変換実行が指示される。前述と同様にして、タブレット１６上の手書き文字領域４０において中国語（簡体）の複合語を手書きすることで（８０２）、日本語が入力される（８０９）。
【００９２】
この場合では、漢字コード列を（ＪＰ１３６０、ＪＰ２５８０）から変換したＰｉｎ−Ｙｉｎコード列をもとに、複合語コードテーブル２５を検索することで（８０７）、日本語「課長」を示す漢字コード列（ＪＰ１０１０、ＪＰ２５８０）が検索されて表示される。
【００９３】
なお、前述した説明では、手書き文字入力する前に入力モードと変換モードの言語が指定されると共に、変換キー４５に対する操作によって変換の実行が指示されるものとしているが、他の言語の複合語（文字列）への変換対象する文字列が手書き入力された後に変換の実行が指示されるようにしても良い。例えば、２文字からなる日本語の文字列（複合語）を手書きして中国語の簡体の文字列（複合語）を入力する場合、入力モードとして日本語、変換モードとして中国語の簡体、そして複合語変換をそれぞれのキー操作により指定した後、２文字からなる日本語の漢字を手書きした後に、変換キー４５の操作をする。これにより、漢字変換プログラム２２及び複合語変換プログラム２３により、２文字の文字列を変換単位として処理を実行する。その後、複数の文字列を連続して入力する場合には、変換対象とする文字列を手書きする毎に変換キー４５を操作することで、先に指定された入力モードと変換モードに従って、手書きされた文字列を処理対象として、指定された言語の文字列に変換する。例えば、続けて３文字の文字列を入力するのであれば、続けて３文字を手書きした後に変換キー４５を操作すれば良い。これにより、複数の文字列を連続して入力する場合に、文字を手書きする他に変換キー４５に対する操作をするだけで良いので効率的に文字列を入力することができる。
【００９４】
このようにして、読み方や書き方、あるいは意味が分からない外国語の文字や複合語であっても、操作者がその漢字や複合語の文字列を手書きするだけで、自分が知っている言語の漢字や複合語に変換され、表示させることができる。また、各言語において、複合語として使われる漢字は起源が同じであるが、字画が微妙に違うケースや、漢字の起源がまったく違うケースや、漢字が逆転して使われる場合にも対応しており、自分が知っている言語により複合語を手書き入力することで、変換先の言語による複合語に正しく変換されて入力することができる。本実施形態では、漢字コードテーブル２４と複合語コードテーブル２５を設けることで、漢字コードとＰｉｎ−Ｙｉｎコード（中国語漢字の音読み記号）両方の組合わせで各国用の漢字と複合語の相互変換を行うので、多国言語間において膨大な多国語翻訳プログラムを用いる必要がない。また、複合語コードテーブル２５に変換対象とする複合語を記録しておくだけで、多国語間の複合語をより正確に効率的に変換することができる。
【００９５】
なお、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【００９６】
また、本願発明は、前述した実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【００９７】
【発明の効果】
以上詳述したように本発明によれば、手書き入力する文字の言語と手書き入力された文字の変換先とする文字の言語を指定することで、手書き入力された文字の文字コードが変換先の言語の文字コードに変換されるので、読みが不明な多国語の文字であっても、各言語に応じた文字入力プログラムと単語辞書を用意することなく入力することが可能となる。
【図面の簡単な説明】
【図１】本発明の実施形態に係わる文字入力装置を実現するコンピュータ１のシステム構成を示すブロック図。
【図２】図１に示すシステム構成において文字入力プログラムを含む各プログラムを実行することにより実現される機能構成を示すブロック図。
【図３】コンピュータ１の外観構成と多国語文字を入力する際の表示画面（入力インタフェース）の一例を示す図。
【図４】多国語用漢字コードテーブル２４の例について説明するための図。
【図５】言語属性部と番号部を組み合わせた漢字コードを示す図。
【図６】多国語用複合語コードテーブル２５の例について説明するための図。
【図７】Ｐｉｎ−Ｙｉｎコードと複合語との対応関係を示す図。
【図８】日本語の複合語（単語）と同一の意味を持つ中国語（簡体字）の複合語との対応を示す図。
【図９】本実施形態における文字入力の動作について説明するためのフローチャート。
【図１０】本実施形態における文字入力の動作について説明するためのフローチャート。
【図１１】本実施形態における文字入力の動作について説明するためのフローチャート。
【図１２】手書き入力による日本語漢字の入力（変換）例を示す図。
【図１３】手書き入力による日本語漢字を中国語簡体漢字に変換して入力する例を示す図。
【図１４】手書き入力による中国語簡体漢字を日本語漢字に変換して入力する例を示す図。
【図１５】手書き入力による中国語複合語（簡体）を日本語複合語に変換して入力する例を示す図。
【図１６】手書き入力による日本語複合語を中国語複合語（簡体）に変換して入力する例（その１）を示す図。
【図１７】手書き入力による日本語複合語を中国語複合語（簡体）に変換して入力する例（その２）を示す図。
【図１８】手書き入力による日本語複合語を中国語複合語（簡体）に変換して入力する例（その２）を示す図。
【図１９】手書き入力による中国語複合語（簡体）を日本語複合語に変換して入力する例を示す図。
【図２０】手書き入力による中国語複合語（簡体）を日本語複合語に変換して入力する例を示す図。
【符号の説明】
１…コンピュータ、１０…ＣＰＵ、１２…メモリ、１４…表示パネル、１６…タブレット、１８…入力装置、１９…ペン、２０…手書き文字認識プログラム、２１…ＧｌｏｂａｌＩＭＥ、２２…漢字変換プログラム、２３…複合語変換プログラム、２４…漢字コードテーブル、２６…複合語コードテーブル、３０…手書き入力部、３１…モード選択部、３２…手書き文字認識部、３３…漢字変換部、３５…複合語変換部、３７…漢字変換表示部。
【図１】
2004265136.tif 000003
【図２】
2004265136.tif 000004
【図３】
2004265136.tif 000005
【図４】
2004265136.tif 000006
【図５】
2004265136.tif 000007
【図６】
2004265136.tif 000008
【図７】
2004265136.tif 000009
【図８】
2004265136.tif 000010
【図９】
2004265136.tif 000011
【図１０】
2004265136.tif 000012
【図１１】
2004265136.tif 000013
【図１２】
2004265136.tif 000014
【図１３】
2004265136.tif 000015
【図１４】
2004265136.tif 000016
【図１５】
2004265136.tif 000017
【図１６】
2004265136.tif 000018
【図１７】
2004265136.tif 000019
【図１８】
2004265136.tif 000020
【図１９】
2004265136.tif 000021
【図２０】
2004265136.tif 000022